(57)【要約】【課題】機器間を簡素な構成のインターフェースで接続し、携帯端末川の受信を外部機器側で外部出力し、携帯端末に対するユーザー操作を外部機器側で行なう。【解決手段】画面情報を外部機器へ出力する出力インターフェース機能と操作情報を外部機器から入力する入力インターフェース機能を有する携帯電話と、画面情報を出力インターフェース機能を通して入力した画像を出力するディスプレイ部と、入力インターフェース機能へ入力する操作情報を入力するための入力部を有する外部機器からなり、携帯電話と外部機器間のインターフェースは、携帯電話への給電又は充電を行なう電源線に情報を重畳する。【選択図】  図９
2010098484.tif 000002
【特許請求の範囲】
【請求項１】
携帯端末と外部機器からなる携帯端末システムであって、
前記携帯端末に備えられた、画面情報を前記外部機器へ出力するとともに操作情報を前記外部機器から入力するための第１の外部機器インターフェースと、
前記外部機器に備えられた、画面情報を表示出力するディスプレイ部と、前記携帯端末に対する操作情報をユーザーが入力するユーザー入力部と、画面情報を前記携帯端末から入力するとともに前記ユーザー入力部を通じて入力された操作情報を前記携帯端末に出力するための第２の外部機器インターフェースと、
を具備し、
前記第１及び第２の外部機器インターフェース間では、前記携帯端末に対して給電又は前記携帯端末内のバッテリーの充電に用いる電源信号を用いて前記画面情報及び前記操作情報の伝送を行なう、
ことを特徴とする携帯端末システム。
【請求項２】
携帯端末と外部機器からなる携帯端末システムであって、
前記携帯端末に備えられた、画面情報を前記外部機器へ出力するとともに操作情報を前記外部機器から入力するための第１の外部機器インターフェースと、
前記外部機器に備えられた、画面情報を表示出力するディスプレイ部と、前記携帯端末に対する操作情報をユーザーが入力するユーザー入力部と、画面情報を前記携帯端末から入力するとともに前記ユーザー入力部を通じて入力された操作情報を前記携帯端末に出力するための第２の外部機器インターフェースと、
を具備し、
前記第１及び第２の外部機器インターフェースはコイルをそれぞれ備え、前記コイル間の電界を用いて前記画面情報及び前記操作情報の伝送を行なう、
ことを特徴とする携帯端末システム。
【請求項３】
前記第１の外部機器インターフェースが備えるコイルは受電用コイルであるとともに、前記第２の外部機器インターフェースが備えるコイルは送電用コイルであり、前記コイル間の電磁誘導作用を用いて前記携帯端末内のバッテリーの充電を行なう、
ことを特徴とする請求項２に記載の携帯端末システム。
【請求項４】
前記携帯端末は携帯電話であり、前記画面情報は携帯電話網を通じて受信する動画データ又は静止画データである、
ことを特徴とする請求項１又は２のいずれかに記載の携帯端末システム。
【請求項５】
前記第１及び第２の外部機器インターフェースは、送信データをパラレル・シリアル変換して前記電源信号に重畳するとともに、前記電源信号に重畳された受信データをシリアル・パラレル変換して再現する、
ことを特徴とする請求項１又は３のいずれかに記載の携帯端末システム。
【請求項６】
請求項１に記載の携帯端末システムにおいて動作する携帯端末であって、
画面情報を出力するディスプレイ部と、
前記携帯端末に対する操作情報をユーザーが入力するユーザー入力部と、
前記携帯端末に対して給電又は前記携帯端末内のバッテリーの充電に用いる電源信号を通じて、画面情報を前記外部機器へ送信するとともに操作情報を前記外部機器から受信するための第１の外部機器インターフェースと、
画面情報を前記ディスプレイ部又は前記第１の外部機器インターフェースに出力し、前記ユーザー入力部で入力された操作情報又は前記第１の外部機器インターフェースから読み取った操作情報に従って前記携帯端末の操作を行なうプロセッサーと、
を具備することを特徴とする携帯端末。
【請求項７】
請求項１に記載の携帯端末システムにおいて動作する携帯端末であって、
画面情報を出力するディスプレイ部と、
前記携帯端末に対する操作情報をユーザーが入力するユーザー入力部と、
コイルを備え、前記コイルの電界を用いて画面情報を前記外部機器へ送信するとともに操作情報を前記外部機器から受信するための第１の外部機器インターフェースと、
画面情報を前記ディスプレイ部又は前記第１の外部機器インターフェースに出力し、前記ユーザー入力部で入力された操作情報又は前記第１の外部機器インターフェースから読み取った操作情報に従って前記携帯端末の操作を行なうプロセッサーと、
を具備することを特徴とする携帯端末。
【請求項８】
前記第１の外部機器インターフェースが備えるコイルは受電用コイルであり、前記第２の外部機器インターフェースが備える送電用コイルとの間の電磁誘導作用を用いて前記携帯端末内のバッテリーの充電を行なう、
ことを特徴とする請求項７に記載の携帯端末。
【請求項９】
前記第１の外部機器インターフェースは、送信データをパラレル・シリアル変換して前記電源信号に重畳するとともに、前記電源信号に重畳された受信データをシリアル・パラレル変換して再現する、
ことを特徴とする請求項６又は８のいずれかに記載の携帯端末。
【請求項１０】
請求項１に記載の携帯端末システムにおいて動作する外部機器であって、
前記携帯端末に対する操作情報をユーザーが入力するユーザー入力部と、
前記携帯端末に対して給電又は前記携帯端末内のバッテリーの充電に用いる電源信号を通じて、画面情報を前記携帯端末から受信するとともに操作情報を前記携帯端末に送信するための第２の外部機器インターフェースと、
前記携帯端末から受信した画面情報を出力するディスプレイ部と、
を具備することを特徴とする外部機器。
【請求項１１】
請求項１に記載の携帯端末システムにおいて動作する外部機器であって、
前記携帯端末に対する操作情報をユーザーが入力するユーザー入力部と、
コイルを備え、前記コイルの電界を用いて画面情報を前記携帯端末から受信するとともに操作情報を前記携帯端末に送信するための第２の外部機器インターフェースと、
前記携帯端末から受信した画面情報を出力するディスプレイ部と、
を具備することを特徴とする外部機器。
【請求項１２】
前記第２の外部機器インターフェースが備えるコイルは送電用コイルであり、前記第１の外部機器インターフェースが備える受電用コイルとの間の電磁誘導作用を用いて前記携帯端末内のバッテリーの充電を行なう、
ことを特徴とする請求項１１に記載の外部機器。
【請求項１３】
前記第２の外部機器インターフェースは、送信データをパラレル・シリアル変換して前記電源信号に重畳するとともに、前記電源信号に重畳された受信データをシリアル・パラレル変換して再現する、
ことを特徴とする請求項１０又は１２のいずれかに記載の外部機器。
【請求項１４】
請求項１に記載の携帯端末システムにおける携帯端末の入出力方法であって、
前記携帯端末に備えられた第１の外部機器インターフェースから画面情報を出力するステップと、
前記外部機器に備えられた第２の外部機器インターフェースに入力された画面情報を前記外部機器のディスプレイ部で表示出力するステップと、
前記外部機器のユーザー入力部を通じて入力された操作情報を前記第２の外部機器インターフェースから出力するステップと、
前記第１の外部機器インターフェースに入力された操作情報に従って前記携帯端末を操作するステップと、
を有し、
前記第１及び第２の外部機器インターフェース間では、前記携帯端末に対して給電又は前記携帯端末内のバッテリーの充電に用いる電源信号を用いて前記画面情報及び前記操作情報の伝送を行なう、
を特徴とする携帯端末の入出力方法。
【請求項１５】
請求項１に記載の携帯端末システムにおける携帯端末の入出力方法であって、
前記携帯端末に備えられた第１の外部機器インターフェースから画面情報を出力するステップと、
前記外部機器に備えられた第２の外部機器インターフェースに入力された画面情報を前記外部機器のディスプレイ部で表示出力するステップと、
前記外部機器のユーザー入力部を通じて入力された操作情報を前記第２の外部機器インターフェースから出力するステップと、
前記第１の外部機器インターフェースに入力された操作情報に従って前記携帯端末を操作するステップと、
を有し、
前記第１及び第２の外部機器インターフェースはコイルをそれぞれ備え、前記コイル間の電界を用いて前記画面情報及び前記操作情報の伝送を行なう、
を特徴とする携帯端末の入出力方法。
【発明の詳細な説明】
【技術分野】
【０００１】
本発明は、画像データや音声データを受信する携帯電話などの携帯端末、並びに携帯端末と接続する外部機器からなる携帯端末システム、携帯端末、外部機器、並びに携帯端末の入出力方法に係り、特に、携帯端末で受信した画像データや音声データを外部機器側で外部出力し、携帯端末に対するユーザー操作を外部機器側で行なう携帯端末システム、携帯端末、外部機器、並びに携帯端末の入出力方法に関する。
【背景技術】
【０００２】
携帯電話は、移動体通信システムとして先駆する自動車電話の流れを汲むが、１９９０年代に入り、端末の小型・軽量化・低廉化と、サービス料の低コスト化が進み、急速に普及している。また、コンピューターの普及やインターネットを始めとする高域ネットワーク技術の浸透とも相俟って、携帯電話上で電子メールやウェブ探索・閲覧を行ない、さらには音楽再生や動画再生、ゲームなどさまざまなアプリケーションを実行できるようになってきている。
【０００３】
ところが、携帯電話の適用範囲が多種多様化してきているにも拘らず、携帯し易い大きさとサイズを必須の要件とすることから、入出力に関しては制約が多い。例えば、画面サイズは対角線で５乃至１０センチメートル程度である。近年の平面パネルの製造技術の発達により、高解像度化が進んでいるが高い解像度で表示しようとすると、同じフォントサイズの文字が非常に小さくなってしまうなど、見づらいものとなる。
【０００４】
また、携帯電話が装備する入力部は、一般に、０乃至９からなるテンキーと、上下左右の入力操作が可能なキーと、その他の数個のキーのみである。パーソナル・コンピューターのキーボードが６０乃至１００のキーを備えていることに比べると、キー数が少なく、しかも入力操作しづらい。
【０００５】
最近では、ＱＷＥＲＴＹ型のキーボードに類似した、数十のキーを有する携帯電話も出現している。しかしながら、携行可能な機器サイズという制約から、個々のキーは小さいため、入力操作しづらい状態は解消されない。
【０００６】
かかる問題に対し、比較的大きな画面や入力操作し易い入力デバイスを備えた外部機器を携帯電話に接続する、という解決方法が考えられる。
【０００７】
例えば、携帯電話の液晶画面に表示される画像をテレビ画面に表示可能な、携帯端末を用いた表示処理システムについて提案がなされている（例えば、特許文献１を参照のこと）。
【０００８】
また、携帯電話機の差し込み口を備え、携帯電話で受信した画像データを大画面で表示する画面表示装置について提案がなされている（例えば、特許文献２を参照のこと）。
【０００９】
また、携帯電話機の備え付けモニターに表示されるデータや、ダウンロードした表示用データを、携帯電話機と別個のモニターに表示させるモニター付き携帯電話機について提案がなされている（例えば、特許文献３を参照のこと）。
【００１０】
しかしながら、携帯電話を外部機器に接続してデータのやり取りを行なうには、映像信号の入出力、音声信号の入出力、ユーザー操作信号の入出力を含めて、複数の信号の伝送路が必要となる（図１０を参照のこと）。すなわち、携帯電話と外部機器間の接続には、映像、音声、ユーザー操作毎に複数のケーブルを用いるか、又は、多数の極からなる端子を有するプラグ・ケーブルを用いることになる。前者の複数のケーブルを用いる場合は、その脱着操作がユーザーにとって煩雑である。また、後者のプラグ・ケーブルを用いる方法では、極数の増大に伴って、小型の携帯電話の本体にプラグ配設用の場所を確保することが難しくなるという問題がある。その他にも、コネクタ類などの部品コストにより機器が高価になる、コネクタの接点の十分な強度を得るのが困難である、といった問題も招来する。
【００１１】
また、携帯電話の機種毎に入出力する信号の種類が異なる場合には、プラグの極数が異なってしまい、機種間で外部機器とのコネクタ互換がなく、不便である。
【００１２】
【特許文献１】特開２００１−３５２３７３号公報
【特許文献２】特開２００２−１１６８４３号公報
【特許文献３】特開２００３−７８５９７号公報
【発明の開示】
【発明が解決しようとする課題】
【００１３】
本発明の目的は、画像データや音声データを受信する携帯電話などの携帯端末、並びに携帯端末と接続する外部機器からなり、携帯端末で受信した画像データや音声データを外部機器側で外部出力し、携帯端末に対するユーザー操作を外部機器側で行なうことができる、優れた携帯端末システム、携帯端末、外部機器、並びに携帯端末の入出力方法を提供することにある。
【００１４】
本発明のさらなる目的は、携帯端末と外部機器間を簡素な構成からなるインターフェースで接続して、携帯端末で受信した画像データや音声データを外部機器側で外部出力し、携帯端末に対するユーザー操作を外部機器側で行なうことができる、優れた携帯端末システム、携帯端末、外部機器、並びに携帯端末の入出力方法を提供することにある。
【課題を解決するための手段】
【００１５】
本願は、上記課題を参酌してなされたものであり、請求項１に記載の発明は、携帯端末と外部機器からなる携帯端末システムであって、
前記携帯端末に備えられた、画面情報を前記外部機器へ出力するとともに操作情報を前記外部機器から入力するための第１の外部機器インターフェースと、
前記外部機器に備えられた、画面情報を表示出力するディスプレイ部と、前記携帯端末に対する操作情報をユーザーが入力するユーザー入力部と、画面情報を前記携帯端末から入力するとともに前記ユーザー入力部を通じて入力された操作情報を前記携帯端末に出力するための第２の外部機器インターフェースと、
を具備し、
前記第１及び第２の外部機器インターフェース間では、前記携帯端末に対して給電又は前記携帯端末内のバッテリーの充電に用いる電源信号を用いて前記画面情報及び前記操作情報の伝送を行なう、
ことを特徴とする携帯端末システムである。
【００１６】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００１７】
また、本願の請求項２に記載の発明は、携帯端末と外部機器からなる携帯端末システムであって、
前記携帯端末に備えられた、画面情報を前記外部機器へ出力するとともに操作情報を前記外部機器から入力するための第１の外部機器インターフェースと、
前記外部機器に備えられた、画面情報を表示出力するディスプレイ部と、前記携帯端末に対する操作情報をユーザーが入力するユーザー入力部と、画面情報を前記携帯端末から入力するとともに前記ユーザー入力部を通じて入力された操作情報を前記携帯端末に出力するための第２の外部機器インターフェースと、
を具備し、
前記第１及び第２の外部機器インターフェースはコイルをそれぞれ備え、前記コイル間の電界を用いて前記画面情報及び前記操作情報の伝送を行なう、
ことを特徴とする携帯端末システムである。
【００１８】
ここで、本願の請求項３に記載されるように、前記第１の外部機器インターフェースが備えるコイルは受電用コイルであるとともに、前記第２の外部機器インターフェースが備えるコイルは送電用コイルであり、前記コイル間の電磁誘導作用を用いて前記携帯端末内のバッテリーの充電を行なうように構成することができる。すなわち、画面情報及び操作情報を重畳する「電源信号」とは、有線の電源ケーブル上を伝送する電流信号の他に、送電用コイルと受電用コイル間の電磁誘導作用を利用した非接触充電機構における磁気信号など、給電に用いられるメディア上を伝搬するさまざまな形態の信号を含むものとする。
【００１９】
また、本願の請求項４に記載の発明では、前記携帯端末は携帯電話であり、前記画面情報は携帯電話網を通じて受信する動画データ又は静止画データである。
【００２０】
また、本願の請求項５に記載の発明では、前記第１及び第２の外部機器インターフェースは、送信データをパラレル・シリアル変換して前記電源信号に重畳するとともに、前記電源信号に重畳された受信データをシリアル・パラレル変換して再現するようになっている。
【００２１】
また、本願の請求項６に記載の発明は、請求項１に記載の携帯端末システムにおいて動作する携帯端末であって、
画面情報を出力するディスプレイ部と、
前記携帯端末に対する操作情報をユーザーが入力するユーザー入力部と、
前記携帯端末に対して給電又は前記携帯端末内のバッテリーの充電に用いる電源信号を通じて、画面情報を前記外部機器へ送信するとともに操作情報を前記外部機器から受信するための第１の外部機器インターフェースと、
画面情報を前記ディスプレイ部又は前記第１の外部機器インターフェースに出力し、前記ユーザー入力部で入力された操作情報又は前記第１の外部機器インターフェースから読み取った操作情報に従って前記携帯端末の操作を行なうプロセッサーと、
を具備することを特徴とする携帯端末である。
【００２２】
また、本願の請求項７に記載の発明は、請求項１に記載の携帯端末システムにおいて動作する携帯端末であって、
画面情報を出力するディスプレイ部と、
前記携帯端末に対する操作情報をユーザーが入力するユーザー入力部と、
コイルを備え、前記コイルの電界を用いて画面情報を前記外部機器へ送信するとともに操作情報を前記外部機器から受信するための第１の外部機器インターフェースと、
画面情報を前記ディスプレイ部又は前記第１の外部機器インターフェースに出力し、前記ユーザー入力部で入力された操作情報又は前記第１の外部機器インターフェースから読み取った操作情報に従って前記携帯端末の操作を行なうプロセッサーと、
を具備することを特徴とする携帯端末である。
【００２３】
ここで、本願の請求項８に記載されるように、前記第１の外部機器インターフェースが備えるコイルは受電用コイルであるとともに、前記第２の外部機器インターフェースが備えるコイルは送電用コイルであり、前記コイル間の電磁誘導作用を用いて前記携帯端末内のバッテリーの充電を行なうように構成することができる。すなわち、画面情報及び操作情報を重畳する「電源信号」とは、有線の電源ケーブル上を伝送する電流信号の他に、送電用コイルと受電用コイル間の電磁誘導作用を利用した非接触充電機構における磁気信号など、給電に用いられるメディア上を伝搬するさまざまな形態の信号を含むものとする。
【００２４】
また、本願の請求項９に記載の発明では、携帯端末側の第１の外部機器インターフェースは、送信データをパラレル・シリアル変換して前記電源信号に重畳するとともに、前記電源信号に重畳された受信データをシリアル・パラレル変換して再現するようになっている。
【００２５】
また、本願の請求項１０に記載の発明は、請求項１に記載の携帯端末システムにおいて動作する外部機器であって、
前記携帯端末に対する操作情報をユーザーが入力するユーザー入力部と、
前記携帯端末に対して給電又は前記携帯端末内のバッテリーの充電に用いる電源信号を通じて、画面情報を前記携帯端末から受信するとともに操作情報を前記携帯端末に送信するための第２の外部機器インターフェースと、
前記携帯端末から受信した画面情報を出力するディスプレイ部と、
を具備することを特徴とする外部機器である。
【００２６】
また、本願の請求項１１に記載の発明は、請求項１に記載の携帯端末システムにおいて動作する外部機器であって、
前記携帯端末に対する操作情報をユーザーが入力するユーザー入力部と、
コイルを備え、前記コイルの電界を用いて画面情報を前記携帯端末から受信するとともに操作情報を前記携帯端末に送信するための第２の外部機器インターフェースと、
前記携帯端末から受信した画面情報を出力するディスプレイ部と、
を具備することを特徴とする外部機器である。
【００２７】
ここで、本願の請求項１２に記載されるように、前記第１の外部機器インターフェースが備えるコイルは受電用コイルであるとともに、前記第２の外部機器インターフェースが備えるコイルは送電用コイルであり、前記コイル間の電磁誘導作用を用いて前記携帯端末内のバッテリーの充電を行なうように構成することができる。すなわち、画面情報及び操作情報を重畳する「電源信号」とは、有線の電源ケーブル上を伝送する電流信号の他に、送電用コイルと受電用コイル間の電磁誘導作用を利用した非接触充電機構における磁気信号など、給電に用いられるメディア上を伝搬するさまざまな形態の信号を含むものとする。
【００２８】
また、本願の請求項１３に記載の発明では、外部機器側の第２の外部機器インターフェースは、送信データをパラレル・シリアル変換して前記電源信号に重畳するとともに、前記電源信号に重畳された受信データをシリアル・パラレル変換して再現するようになっている。
【００２９】
また、本願の請求項１４に記載の発明は、請求項１に記載の携帯端末システムにおける携帯端末の入出力方法であって、
前記携帯端末に備えられた第１の外部機器インターフェースから画面情報を出力するステップと、
前記外部機器に備えられた第２の外部機器インターフェースに入力された画面情報を前記外部機器のディスプレイ部で表示出力するステップと、
前記外部機器のユーザー入力部を通じて入力された操作情報を前記第２の外部機器インターフェースから出力するステップと、
前記第１の外部機器インターフェースに入力された操作情報に従って前記携帯端末を操作するステップと、
を有し、
前記第１及び第２の外部機器インターフェース間では、前記携帯端末に対して給電又は前記携帯端末内のバッテリーの充電に用いる電源信号を用いて前記画面情報及び前記操作情報の伝送を行なう、
を特徴とする携帯端末の入出力方法である。
【００３０】
また、本願の請求項１５に記載の発明は、請求項１に記載の携帯端末システムにおける携帯端末の入出力方法であって、
前記携帯端末に備えられた第１の外部機器インターフェースから画面情報を出力するステップと、
前記外部機器に備えられた第２の外部機器インターフェースに入力された画面情報を前記外部機器のディスプレイ部で表示出力するステップと、
前記外部機器のユーザー入力部を通じて入力された操作情報を前記第２の外部機器インターフェースから出力するステップと、
前記第１の外部機器インターフェースに入力された操作情報に従って前記携帯端末を操作するステップと、
を有し、
前記第１及び第２の外部機器インターフェースはコイルをそれぞれ備え、前記コイル間の電界を用いて前記画面情報及び前記操作情報の伝送を行なう、
を特徴とする携帯端末の入出力方法である。
【発明の効果】
【００３１】
本発明によれば、画像データや音声データを受信する携帯電話などの携帯端末、並びに携帯端末と接続する外部機器からなり、携帯端末で受信した画像データや音声データを外部機器側で外部出力し、携帯端末に対するユーザー操作を外部機器側で行なうことができる、優れた携帯端末システム、携帯端末、外部機器、並びに携帯端末の入出力方法を提供することができる。
【００３２】
また、本発明によれば、携帯端末と外部機器間を簡素な構成からなるインターフェースで接続して、携帯端末で受信した画像データや音声データを外部機器側で外部出力し、携帯端末に対するユーザー操作を外部機器側で行なうことができる、優れた携帯端末システム、携帯端末、外部機器、並びに携帯端末の入出力方法を提供することができる。
【００３３】
本願の請求項１乃至３、６乃至８、１０乃至１２、１４、１５に記載の発明によれば、表示装置や入力装置のための十分な大きさを取れない携帯端末を外部機器上に載せるだけで、大きな画面で受信データを表示することができ、また、使い易いキーボードからの入力により携帯端末を操作することができる。
【００３４】
また、本願の請求項４に記載の発明によれば、携帯電話でインターネットからダウンロードした動画データや静止画データを、外部機器側の大きな画面を用いて表示することができる。
【００３５】
また、本願の請求項５、９、１３に記載の発明によれば、携帯電話と外部機器の間では少ない接点で伝送を行なうので、接続インターフェースが簡素化され、接続部分の部品コストを削減し、装置の小型化、接点の劣化の回避などの効果がある。接続インターフェースに電界伝送などの無線接続を適用すれば、上記の効果をさらに高めることができる。
【００３６】
また、本発明によれば、外部機器との簡素な接続インターフェースを装備するだけでよく、デザインの制約を低減することができる。
【００３７】
本発明のさらに他の目的、特徴や利点は、後述する本発明の実施形態や添付する図面に基づくより詳細な説明によって明らかになるであろう。
【発明を実施するための最良の形態】
【００３８】
以下、図面を参照しながら本発明の実施形態について詳解する。
【００３９】
図１には、本発明の一実施形態に係る携帯端末システムの構成を模式的に示している。図示のシステムは、画像データや音声データを受信する携帯電話と、画像データや音声データを外部出力したり携帯電話に対するユーザー操作を行なったりする外部機器で構成される。
【００４０】
携帯電話１００は、プロセッサー１０１と、各種入出力装置１０４〜１０６と、外部機器１２０とのインターフェースを提供する外部機器インターフェース１０７を備えている。なお、携帯電話１００は無線通信用を含むその他の回路モジュールなども備えているが、本発明の要旨に直接関連しないので、図示を省略している。
【００４１】
プロセッサー１０１と、各種入出力装置１０４〜１０６の間は、バス信号線群１１０と、チップ・セレクト信号１１１、並びに、割り込み信号１１２で接続されている。
【００４２】
バス信号線群１１０は、アドレス、データ、イネーブルなどの信号線からなる。バス信号線群１１０は、各種入出力装置１０４〜１０６の他、外部機器インターフェース１０７にも接続されている。
【００４３】
チップ・セレクト信号１１１は、プロセッサー１０１がバス・インターフェース１０２を介して各種入出力装置１０４〜１０６のいずれかの回路チップを選択する信号である。また、また、割り込み信号１１２は、各種入出力装置１０４〜１０６が、イベントの発生をプロセッサー１０１に通知するための信号であり、割り込みコントローラー１０３に入力される。チップ・セレクト信号１１１並びに割り込み信号１１２は、入出力機器の数だけ用意される他、外部機器インターフェース１０７にも接続されている。
【００４４】
まず、携帯電話１００側での動作について説明する。
【００４５】
ＬＣＤ１０４に画面出力する際、プロセッサー１０１は、バス・インターフェース１０２を利用して、ＬＣＤ１０４へ画像データを出力する。ＬＣＤ１０４へデータ出力する際、バス・インターフェース１０２は、ＬＣＤ１０４に接続されているチップ・セレクト信号１１１をイネーブルにすることで、ＬＣＤ１０４はプロセッサー１０１からの画像データを受け取り、画面表示を行なう。例えば、携帯電話網を通じてインターネット上のＷｅｂサイトからダウンロードした動画や静止画データをＬＣＤ１０４で画面表示することができる。
【００４６】
また、プロセッサー１０１は、スピーカー１０５やその他の出力装置（図示しない）にデータを出力する際にも、同様に、該当する出力装置に接続されているチップ・セレクト信号１１１のみをイネーブルにすることで、その出力装置はプロセッサー１０１からのデータを受け取って再生出力する。例えば、携帯電話網を通じてインターネット上のＷｅｂサイトからダウンロードした音楽などの音声データをスピーカー１０５から音声再生することができる。
【００４７】
他方、キーボード１０６上でユーザーからの入力操作があると、キーボード１０６は割り込みを発生し、割り込み信号１１２を通じてプロセッサー１０１内の割り込みコントローラー１０３に通知する。割り込みを受けたプロセッサー１０１は、バス１１０を通じて、キーボード１０６上で入力されたデータを受信する。その際、バス・インターフェース１０２は、キーボード１０６に接続されているチップ・セレクト信号１１１をイネーブルにすることで、キーボード１０６がバス１１０にデータを出力し、プロセッサー１０１側ではデータを受け取ることができる。
【００４８】
また、図示しないその他の入力装置で入力が行なわれた場合も同様である。すなわち、入力装置はユーザーからの入力操作などに応じて割り込みを発生し、割り込み信号１１２を通じてプロセッサー１０１内の割り込みコントローラー１０３に通知する。これに対し、バス・インターフェース１０２は、当該入力装置に接続されているチップ・セレクト信号１１１をイネーブルにすることで、当該入力装置がバス１１０にデータを出力し、プロセッサー１０１側ではデータを受け取る。
【００４９】
ここまでは、入出力装置１０４〜１０６とプロセッサー１０１間のデータ入出力動作について説明したが、各入出力装置に対する一般的なレジスタのリード並びにライト動作も、上記のバス・アクセス方法により同様に実現されると理解されたい。
【００５０】
図１に示したシステムでは、携帯電話１００は、外部機器インターフェース１０７、１２１を介して外部機器１２０と接続されている。外部機器１２０は、比較的大画面のＬＣＤ１２２、多チャネル数のスピーカー１２３、英数字キーなど数十のキーからなる大サイズのキーボード１２４などの、ユーザー・インターフェースとして充実した各種入出力装置を装備している。なお、図示しないが、外部機器１２０は、携帯電話１００の充電機能を備えていてもよい。
【００５１】
従来、携帯電話と外部機器との接続には、プラグ・ケーブルを用いる方法が一般的であったが、幾つかの問題点があることは既に述べた通りである。これに対し、本実施形態では、外部機器インターフェース１０７、１２１において、バス転送されるアドレス情報、データ情報をパラレル・シリアル変換し、電源インターフェース１１３上に重畳して伝送するようにしている。このため、ケーブルの本数やプラグの極数が増大することもない。
【００５２】
続いて、携帯電話１００に外部機器１２０を接続して、データの送受信を行なう方法について説明する。
【００５３】
まず、携帯電話１００側の画面情報を外部機器１２０側に出力する場合について説明する。
【００５４】
バス・インターフェース１０２は、外部機器インターフェース１０７に接続されているチップ・セレクト信号１１１をイネーブルにすることで、外部機器インターフェース１０７はプロセッサー１０１からの画面表示用のデータを受け取ることができる。但し、チップ・セレクト信号１１１は、送信するデータが画面情報である旨の種別を含むものとする。
【００５５】
外部機器インターフェース１０７は、このチップ・セレクト信号１１１の種別と、バス１１０で転送されたアドレス情報並びにデータ情報をパラレル・シリアル変換し、電源インターフェース１１３へ送出する。
【００５６】
外部機器１２０側の外部機器インターフェース１２１は、バス・インターフェース機能並びに割り込みコントローラー機能（いずれも図示しない）を備えている。そして、外部機器インターフェース１２１は、電源インターフェース１１３経由で携帯電話１００側から受信したシリアル・データをシリアル・パラレル変換して、チップ・セレクト信号１１１の種別と、アドレス情報並びにデータ情報からなる、携帯電話１００内と同じデータに復元する。そして、外部機器インターフェース１２１は、ＬＣＤ１２２に接続されているチップ・セレクト信号１３１をイネーブルにし、バス１３３を通じてＬＣＤ１２２にデータを転送する。このようにして、ＬＣＤ１２２は携帯電話１００側と同じ画面情報を表示再生する。例えば、携帯電話１００側で携帯電話網を通じてインターネット上のＷｅｂサイトからダウンロードした動画や静止画データを、外部機器１２０側のＬＣＤ１２２で画面表示することができる。
【００５７】
また、携帯電話１００側のその他の出力情報を、外部機器１２０側に出力する場合についても、同様である。
【００５８】
例えば音声情報を外部機器１２０側で出力する場合、バス・インターフェース１０２が外部機器インターフェース１０７に接続されているチップ・セレクト信号１１１をイネーブルして、プロセッサー１０１から外部機器インターフェース１０７へ音声出力用のデータを転送する。このとき、チップ・セレクト信号１１１は、送信するデータが音声情報である旨の種別を含む。そして、外部機器インターフェース１０７は、このチップ・セレクト信号１１１の種別と、バス１１０で転送されたアドレス情報並びにデータ情報をパラレル・シリアル変換し、電源インターフェース１１３へ送出する。これに対し、外部機器１２０側の外部機器インターフェース１２１は、受信したチップ・セレクト信号１１１の種別と、アドレス情報並びにデータ情報を、シリアル・パラレル変換して携帯電話１００内と同じデータを再生し、スピーカー１２３に接続されているチップ・セレクト信号１３１をイネーブルにし、バス１３３を通じてスピーカー１２３にデータを転送する。このようにして、スピーカー１２３は、携帯電話１００側と同じ音声情報を再生出力する。例えば、携帯電話１００側で携帯電話網を通じてインターネット上のＷｅｂサイトからダウンロードした音楽などの音声データを、外部機器１２０側のスピーカー１２４から音声再生することができる。
【００５９】
続いて、外部機器１２０側の入力装置でユーザーの入力操作が行なわれた場合の処理動作について説明する。
【００６０】
例えばキーボード１２４上でユーザーからの入力操作があると、キーボード１２４は割り込みを発生し、割り込み信号１３２を通じて外部機器インターフェース１２１に通知する。
【００６１】
外部機器インターフェース１２１は、割り込み信号を受け取ると、キーボード１２４に接続されたチップ・セレクト信号１３１をイネーブルにして、バス１３３を通じてキーボード１２４上で入力されたデータを受信する。そして、外部機器インターフェース１２１は、チップ・セレクト信号１３１の種別と、バス１３２で転送されたアドレス情報並びにデータ情報をパラレル・シリアル変換し、電源インターフェース１１３へ送出する。
【００６２】
携帯電話１００側の外部機器インターフェース１０７は、電源インターフェース１１３経由で外部機器１２０側から受信したシリアル・データをシリアル・パラレル変換して、チップ・セレクト信号１３１の種別と、アドレス情報並びにデータ情報からなる、外部機器１２０内と同じデータに復元する。また、外部機器インターフェース１０７は、割り込みを発生し、割り込み信号１１２を通じてプロセッサー１０１内の割り込みコントローラー１０３に通知する。
【００６３】
プロセッサー１０１が割り込みを受けると、バス・インターフェース１０２は外部機器１０７に接続されているチップ・セレクト信号１１１をイネーブルにする。これに応じて外部機器１０７は、バス１１０にデータを出力する。このようにして、プロセッサー１０１は、外部機器１２０側のキーボード１２４で入力されたデータを受け取ることができる。
【００６４】
また、外部機器１２０側のその他の入力情報を、携帯電話１００側に入力する場合についても、同様である。
【００６５】
すなわち、入力装置はユーザーからの入力操作などに応じて割り込みを発生して外部機器インターフェース１２１に通知する。外部機器インターフェース１２１は、割り込み信号を受け取ると、該当する入力装置に接続されるチップ・セレクト信号１３１をイネーブルにして、バス１３３を通じてデータを受信する。そして、外部機器インターフェース１２１は、チップ・セレクト信号１３１の種別と、バス１３２で転送されたアドレス情報並びにデータ情報をパラレル・シリアル変換し、電源インターフェース１１３へ送出する。
【００６６】
携帯電話１００側の外部機器インターフェース１０７は、外部機器１２０側から受信したチップ・セレクト信号１３１の種別と、アドレス情報並びにデータ情報を、シリアル・パラレル変換して、外部機器１２０内と同じデータに復元する。また、外部機器インターフェース１０７は、割り込み信号１１２を通じてプロセッサー１０１内の割り込みコントローラー１０３に外部機器１２０側で入力があったことを通知する。そして、バス・インターフェース１０２が外部機器１２０に接続されているチップ・セレクト信号１１１をイネーブルにして、プロセッサー１０１は、外部機器１２０側の入力データを受け取る。
【００６７】
ここまでは、外部機器１２０側の入出力装置１２２〜１２４と携帯電話１００側のプロセッサー１０１間のデータ入出力動作について説明したが、外部機器１２０側の各入出力装置に対する一般的なレジスタのリード並びにライト動作も、上記のバス・アクセス方法により同様に実現されると理解されたい。
【００６８】
本実施形態では、外部機器インターフェース１０７、１２１において、バス転送されるアドレス情報、データ情報をパラレル・シリアル変換し、電源インターフェース１１３上に重畳して伝送するという方式を採用することによって、携帯電話１００と外部機器１２０間のインターフェースの簡素化を実現している。
【００６９】
図２には、パラレル・データをシリアル伝送する構成例を示している。図示の伝送システムは、電源インターフェース１１３としての電源ライン２２０で接続されたシリアライザ２００とデシリアライザ２１０からなる。シリアライザ２００並びにデシリアライザ２１０の組は、携帯電話１００及び外部機器１２０の各外部機器インターフェース１０７、１２１内に双方向で配設されているものとする。
【００７０】
シリアライザ２００は、パラレル信号をシリアル信号に変換するＰＳ（パラレル・シリアル）変換部２０１と、パラレル・データ用のクロック（Ｐ−ＣＬＫ）からシリアル・クロックを生成するＰＬＬ部２０２と、シリアル信号にヘッダなどを付加して符号化を行なうエンコード部２０３と、送信タイミングを制御するタイミング制御部２０４と、ドライバ２０５で構成される。
【００７１】
一方、デシリアライザ２１０は、レシーバ２１２と、ヘッダからデータの先頭を検出して符号化データのデコードを行なうデコード部２１３と、リファレンス・クロック（Ｒｅｆ．ＣＬＫ）を用いて受信データからクロックを抽出するクロック・リカバリ（ＣＲ）部２１４と、シリアル信号を元のパラレル信号に戻すＳＰ（シリアル・パラレル）変換部２１５と、受信タイミングを制御するタイミング制御部２１６で構成される。
【００７２】
このようにして、シリアライザ２００に入力されるパラレル・データＰ−ＤＡＴＡとシリアル・データ用クロックＰ−ＣＬＫはシリアル信号に変換されるとともに、デシリアライザ２１０で元のＰ−ＤＡＴＡ及びＰ−ＣＬＫに復元される。
【００７３】
図２に示した例では、伝送線路として電源ライン２２０を使用しており、シリアル化された信号は、外部機器１２０から携帯電話１００への電源ライン２２０に重畳して伝送される。重畳部２０６では、電源に伝送信号を重畳する。重畳部７０２は、基本的には伝送信号はコンデンサで電源ライン２２０に結合させ、電源はチョーク・コイルで電源ライン２２０に結合させる。
【００７４】
電源ライン２２０を通じてデシリアライザ２１０に到来する伝送信号は、分離部２１２で、電源から分離される。分離部２１１では、重畳部２０６と同様に、伝送信号はコンデンサでＤＣカットして取り出され、電源はチョーク・コイルで伝送信号をカットする。
【００７５】
なお、エンコード部２０３及びデコード部２１３において適用する符号化方式の一例として、マンチェスター符号化方式を挙げることができる。マンチェスター符号は、２進値“０”を送るときはビット区間の中央でハイ・レベルからロー・レベルに変化させ、一方、２進値“１”を送るときは逆にビット区間の中央でロー・レベルからハイ・レベルに変化させる。言い換えれば、マンチェスター符号は２倍の帯域に広げることで伝送信号のＤＣ成分をなくしている。マンチェスタコードは、直流成分を含まないこと、またクロックの抽出が容易であるという利点があり、ＤＣ成分からなる電源と同じ伝送線路上に重畳するのに適している、と本発明者らは思料する。図３には、電源ライン２２０内の信号の周波数スペクトラムを示している。図中の参照番号３０１はマンチェスター符号の周波数スペクトラムに相当する。マンチェスター符号はＤＣ成分を持たないで、電源と一緒に伝送できることが分かる。
【００７６】
図４Ａ及び図４Ｂには、パラレル・データをシリアル伝送するシリアライザ及びデシリアライザの他の構成例をそれぞれ示している。
【００７７】
シリアライザ４００は、パラレル信号をシリアル信号に変換するＰＳ変換部４０１と、パラレル・データ用のクロック（Ｐ−ＣＬＫ）からシリアル・クロックを生成するＰＬＬ部４０２と、シリアル信号にヘッダなどを付加して符号化を行なうエンコード部４０３と、送信タイミングを制御するタイミング制御部４０４と、ドライバ５０５で構成される。そして、エンコード部４０３で符号化されたシリアル信号はドライバ４０５経由でコイル４０６に送られ、コイル間の電磁結合によりデシリアライザ４１０に送られる。
【００７８】
一方、デシリアライザ４１０は、シリアライザ４００側のコイル４０６と電磁結合を行なうコイル４１１と、差動レシーバ４１２と、電磁結合により低下した信号レベルを増幅する増幅器４１３と、ヘッダからデータの先頭を検出並びに符号化データのデコードを行なうデコード部４１４と、リファレンス・クロック（Ｒｅｆ．ＣＬＫ）を用いて受信データからクロックを抽出するクロック・リカバリ（ＣＲ）部４１５と、シリアル信号を元のパラレル信号に戻すＳＰ変換部４１６と、受信タイミングを制御するタイミング制御部４１７を備えている。
【００７９】
携帯電話１００と外部機器１２０間を接続する電源インターフェース１１３として、図２又は図４に示したシリアル伝送を適用した場合、電源にデータを重畳することが可能であり、外部機器１２０から携帯電話１００へ充電を行ないながら、データ伝送が可能であるということを十分理解されたい。また、図４に示したシリアル伝送方式によれば、コイルを用いた電界でのデータ伝送が可能であることから、無線接続でデータを送受信することから可能であり、携帯電話１００と外部機器１２０間を接続するケーブルが一切不要となる。
【００８０】
続いて、携帯電話１００と外部機器１２０間でデータ送受信を行なう際のバス・アクセス動作について説明する。但し、以下では、米インテル社の８０系のバス・アーキテクチャに従って説明するが、本発明の要旨はこれに限定されるものではない。
【００８１】
図５には、携帯電話１００から外部機器１２０側のＬＣＤ１２２へ書き込み動作を行なう際の、携帯電話１００内のバス１１０並びに外部機器１２０内のバス１３３のライト・シーケンス例を示している。
【００８２】
携帯電話１００側では、プロセッサー１０１により、ＬＣＤを種別に持つチップ・セレクト信号がアサート（イネーブル）される。続いて、プロセッサー１０１により、バス１１０中のライト信号がアサートされてから、書き込みデータがバス１１０に送出される。
【００８３】
上記の動作により、携帯電話１００内の外部機器インターフェース１０７には、データが書き込まれる。そして、外部機器インターフェース１０７は、ライト要求の信号（アドレス情報及びデータ情報）をパラレル・シリアル変換し、電源インターフェース１１３を通じて外部機器１２０にシリアル伝送する。
【００８４】
外部機器１２０側の外部機器インターフェース１２１は、受信したシリアル・データをシリアル・パラレル変換して、チップ・セレクト信号１１１の種別と、アドレス情報並びにデータ情報を抽出する。そして、外部機器インターフェース１２１は、ＬＣＤ１２２に接続されているチップ・セレクト信号をアサートし、続いて、バス１３３中のライト信号をアサートしてから、書き込みデータをバス１１０に送出する。このようにして、ＬＣＤ１２２に対するデータ書き込みが行なわれ、ＬＣＤ１２２は携帯電話１００側と同じ画面情報を表示再生することができる。
【００８５】
また、携帯電話１００側のその他の出力情報を外部機器１２０側に書き込む場合についても、同様のバス・ライト・シーケンスが携帯電話１００と外部機器１２０の各々で行なわれるものと理解されたい。
【００８６】
図６には、外部機器１２０側のキーボード１２４上での入力情報を携帯電話１００から読み取り動作を行なう際の、携帯電話１００内のバス１１０並びに外部機器１２０内のバス１３３のリード・シーケンス例を示している。
【００８７】
携帯電話１００側では、プロセッサー１０１により、キーボードを種別に持つチップ・セレクト信号がアサートされ、続いて、バス１１０中のリード信号がアサートされる。そして、携帯電話１００内の外部機器インターフェース１０７は、リード要求の信号（アドレス情報及びデータ情報）をパラレル・シリアル変換し、電源インターフェース１１３を通じて外部機器１２０にシリアル伝送する。
【００８８】
外部機器１２０側の外部機器インターフェース１２１は、受信したシリアル・データをシリアル・パラレル変換して、チップ・セレクト信号１１１の種別と、アドレス情報並びにデータ情報を抽出する。そして、外部機器インターフェース１２１は、キーボード１２４に接続されているチップ・セレクト信号をアサートし、続いて、バス１３３中のリード信号をアサートする。これに対し、キーボード１２４は、入力データをバス１１０に送出する。
【００８９】
外部機器インターフェース１２１は、キーボード１２４からのデータを読み取ると、これをパラレル・シリアル変換して、電源インターフェース１１３を通じて携帯電話１００にシリアル伝送する。
【００９０】
携帯電話１００側の外部機器インターフェース１０７は、受信したシリアル・データをシリアル・パラレル変換してキーボード１２４上の入力データを抽出すると、リード信号がアサートされている期間内でバス１１０に送出する。このようにして、プロセッサー１０１は、外部機器１２０側のキーボード１２４における入力データを読み取ることができる。
【００９１】
また、外部機器１２０側のその他の入力情報を携帯電話１００側で読み取る場合についても、同様のバス・リード・シーケンスが携帯電話１００と外部機器１２０の各々で行なわれるものと理解されたい。
【００９２】
図７には、外部機器１２０側のキーボード１２４上で割り込みが発生したときの、携帯電話１００内のバス１１０並びに外部機器１２０内のバス１３３の割り込みシーケンス例を示している。
【００９３】
キーボード１２４は、割り込みが発生すると、割り込み信号１３２をアサートする。外部機器１２０側の外部機器インターフェース１２１は、受信した割り込み信号をパラレル・シリアル変換して、電源インターフェース１１３を通じて携帯電話１００にシリアル伝送する。携帯電話１００側の外部機器インターフェース１０７は、受信データをシリアル・パラレル変換して、キーボード１２４からの割り込み信号を抽出すると、割り込み信号１１２をアサートする。
【００９４】
プロセッサー１０１は、割り込み信号を受け取ると、任意のバス・アクセス（リード又はライト）を上述した手順により実施する。例えば、バス・インターフェース１０２が外部機器１０７に接続されているチップ・セレクト信号１１１をイネーブルにして、プロセッサー１０１は、バス１１０経由で、キーボード１２４上の入力データを外部機器１０７から読み取る。
【００９５】
その後、キーボード１２４が割り込みを解除して割り込み信号１３２をネゲートすると、外部機器１２０側の外部機器インターフェース１２１は、受信した割り込み信号をパラレル・シリアル変換して、電源インターフェース１１３を通じて携帯電話１００にシリアル伝送する。
【００９６】
携帯電話１００側の外部機器インターフェース１０７は、受信データをシリアル・パラレル変換して、キーボード１２４からの割り込み信号を抽出すると、割り込み信号１１２をネゲートする。この結果、携帯電話１００側でもキーボード割り込みが解除される。
【００９７】
図８には、携帯電話１００と外部機器１２０間での伝送フレームのフォーマット例を示している。
【００９８】
図示の伝送フレームは、ヘッダ部分に、データ種別と、デバイス種別と、データ長の各フィールドを含んでいる。
【００９９】
データ種別フィールドは、２ビット長であり、当該伝送フレームが、リード、ライト、割り込み発生、割り込み解除のいずれであるかを区別するために用いられる。例えば、０ｘ００であればリード、０ｘ０１であればライト、０ｘ０２であれば割り込みを表す。
【０１００】
デバイス種別は、２ビット長であり、当該伝送フレームがどのデバイスに対するリード又はライト要求であるのか、若しくは、どのデバイスからの割り込み発生又は解除要求であるかを区別するために用いられる。例えば、０ｘ００であればＬＣＤ、０ｘ０１であればキーボード、０ｘ０２であればスピーカーを表す。
【０１０１】
データ長フィールドは、１バイト長であり、当該伝送フレームのデータ（ペイロード）部分の長さが、例えばビット数で記載される。
【０１０２】
また、伝送フレームのデータ部分は、ビット０から最終ビットまでが連結されている。
【０１０３】
なお、図示の伝送フレーム・フォーマットは一例であり、本発明の要旨はこれに限定されるものではない。本発明が適用されるシステムに応じて適切に定義される伝送フレーム・フォーマットを利用すればよいことを十分理解されたい。また、伝送フレームには、チェックサムなどにより誤り検出、誤り訂正の機能を含めることが可能である。
【０１０４】
図９には、図１に示した携帯端末システムの適用イメージを示している。
【０１０５】
外部機器９０１は、比較的大きな画面サイズとなるＬＣＤ９０１と、例えばＱＷＥＲＴＹ配列の全キーからなるキーボード９０３を備えている。接続部９０２の上に携帯電話９０４を載せることで、ＬＣＤ９０１に携帯電話９０４上の画面を表示するとともに、キーボード９０３上でのユーザー入力によって携帯電話９０４を操作することができる。
【０１０６】
接続部９０２には、携帯電話９０４との接点９０５が配設され、当該接点９０５を通じて、携帯電話９０４を充電するとともに、データ伝送を行なうことができる。
【０１０７】
但し、図４に示したようにコイルを用いた電界伝送を行なう場合には、外部機器９００と携帯電話９０４の間に接点９０５は存在せず、外部機器９００に内蔵されたコイル９０６を通じて通信を行なうことになる。
【産業上の利用可能性】
【０１０８】
以上、特定の実施形態を参照しながら、本発明について詳解してきた。しかしながら、本発明の要旨を逸脱しない範囲で当業者が該実施形態の修正や代用を成し得ることは自明である。
【０１０９】
本明細書では、携帯電話を外部機器に接続する実施形態を中心に説明してきたが、本発明の要旨はこれに限定するものではない。ＰＤＡ（Ｐｅｒｓｏｎａｌ  Ｄｉｇｉｔａｌ  Ａｓｓｉｓｔａｎｔ）やゲーム機を始め、さまざまな種類の携帯端末に対して本発明を適用することで、充実した入出力装置を提供する外部機器とは簡素な構成の外部機器インターフェースで接続することができる。
【０１１０】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【０１１１】
【図１】図１は、本発明の一実施形態に係る携帯端末システムの構成を模式的に示した図である。
【図２】図２は、パラレル・データをシリアル伝送する構成例を示した図である。
【図３】図３は、電源ライン２２０内の信号の周波数スペクトラムを示した図である。
【図４Ａ】図４Ａは、パラレル・データをシリアル伝送するシリアライザの他の構成例を示した図である。
【図４Ｂ】図４ＢＡは、パラレル・データをシリアル伝送するデシリアライザの他の構成例を示した図である。
【図５】図５は、携帯電話１００から外部機器１２０側のＬＣＤ１２２へ書き込み動作を行なう際の、携帯電話１００内のバス２１０並びに外部機器１２０内のバス１３３のライト・シーケンス例を示した図である。
【図６】図６は、外部機器１２０側のキーボード１２４上での入力情報を携帯電話１００から読み取り動作を行なう際の、携帯電話１００内のバス１１０並びに外部機器１２０内のバス１３３のリード・シーケンス例を示した図である。
【図７】図７は、外部機器１２０側のキーボード１２４上で割り込みが発生したときの、携帯電話１００内のバス１１０並びに外部機器１２０内のバス１３３の割り込みシーケンス例を示した図である。
【図８】図８は、携帯電話１００と外部機器１２０間での伝送フレームのフォーマット例を示した図である。
【図９】図９は、図１に示した携帯端末システムの適用イメージを示した図である。
【図１０】図１０は、従来の携帯端末システムの構成例を示した図である。
【符号の説明】
【０１１２】
１００…携帯電話
１０１…プロセッサー
１０２…バス・インターフェース
１０３…割り込みコントローラー
１０４…液晶表示パネル（ＬＣＤ）
１０５…スピーカー
１０６…キーボード
１０７…外部機器インターフェース
１１０…バス信号線群
１１１…チップ・セレクト信号
１１２…割り込み信号
１１３…電源インターフェース
１２０…外部機器
１２１…外部機器インターフェース
１２２…ＬＣＤ
１２３…スピーカー
１２４…キーボード
１３１…チップ・セレクト信号
１３２…割り込み信号
１３３…バス
９００…外部機器
９０１…ＬＣＤ
９０２…接続部
９０３…キーボード
９０４…携帯電話
９０５…携帯電話との接点
９０６…コイル
【図１】
2010098484.tif 000003
【図２】
2010098484.tif 000004
【図３】
2010098484.tif 000005
【図４Ａ】
2010098484.tif 000006
【図４Ｂ】
2010098484.tif 000007
【図５】
2010098484.tif 000008
【図６】
2010098484.tif 000009
【図７】
2010098484.tif 000010
【図８】
2010098484.tif 000011
【図１０】
2010098484.tif 000012
【図９】
2010098484.tif 000013